(57)【要約】      （修正有）【課題】  粘着剤層を被覆するための離型テープを不要とした袋及びその製造方法を提供する。【解決手段】  表裏シート部により上部開口部を備えた物品収納室を形成し、上部開口部を越えて延びる封口片を裏シート部から延設すると共に表シート部の開口縁近傍部の外側に重なるように折返自在に構成し、表シート部の開口縁近傍部の外側に添設した受片に対して封口片に設けた粘着剤層を粘着することにより封口せしめる袋体である。封口片を第一折曲自在部を介して折返したときは粘着剤層が受片から下方又は上方に外れた位置に設けられた表シート部の仮受部に対面し、封口片を第二折曲自在部を介して折返したときは粘着剤層が受片に対面するように構成されている。表シート部の仮受部は、封口片の粘着剤層を剥離自在に粘着せしめる剥離容易部を形成している。剥離容易部は、網目を形成したネット材により形成される。【選択図】  図１
2006001553.tif 000002
【特許請求の範囲】
【請求項１】
表裏シート部(2)(3)により上部開口部(4)を備えた物品収納室(5)を形成し、上部開口部(4)を越えて延びる封口片(8)を裏シート部(3)から延設すると共に表シート部(2)の開口縁近傍部の外側に重なるように折返自在に構成し、表シート部(2)の開口縁近傍部の外側に添設した受片(11)に対して封口片(8)に設けた粘着剤層(10)を粘着することにより物品収納室(5)の上部開口部(4)を封口せしめる袋体において、
前記封口片(8)は、上部開口部(4)からそれぞれ距離を相違する部位に第一折曲自在部(U1)と第二折曲自在部(U2)を備えており、封口片(8)を第一折曲自在部(U1)を介して折返したときは粘着剤層(10)が受片(11)から下方又は上方に外れた位置に設けられた表シート部の仮受部(13)に対面し、封口片(8)を第二折曲自在部(U2)を介して折返したときは粘着剤層(10)が受片(11)に対面するように構成され、
前記表シート部(2)の仮受部(13)は、封口片(8)の粘着剤層(10)を剥離自在に粘着せしめる剥離容易部(14)を形成しており、
袋体(1)は、物品収納室(5)に物品を収納していない状態で、封口片(8)を第一折曲部(U1)を介して折返され、粘着剤層(10)を前記仮受部(13)の剥離容易部(14)に粘着せしめて成ることを特徴とする袋。
【請求項２】
剥離容易部(14)は、網目を形成したネット材により形成されて成ることを特徴とする請求項１に記載の袋。
【請求項３】
帯状の表裏シート(2S)(3S)を相互に重ね合わせ、裏シートに対して表シートの一側縁を連結し他側の開口縁を開放せしめており、表シートの開口縁から突出する合成樹脂フィルム製の封口片素材(8S)を裏シートに連設すると共に、該封口片素材の突出端近傍部に粘着剤層(10S)を設け、更に、合成樹脂フィルム製の受片素材(11S)を表シートの開口縁近傍部に固着すると共に、該受片素材の一側部又は他側部にネット材から成る仮受部(13S)を形成することにより帯状の一次構成体(K1)を構成し、該一次構成体を帯長手方向に移送する工程と、
前記一次構成体(K1)における封口片素材(8S)を表シート(2S)の開口縁近傍部に向けて折返し、折返された封口片素材(8S)の粘着剤層(10S)を表シート(2S)の仮受部(13S)に粘着することにより帯状の二次構成体(K2)を形成する工程と、
前記二次構成体(K2)を帯幅方向の分断線Ｃに沿って溶着し、封口片素材(8S)の折返部(8b)の相互並びに封口片素材(8S)の折返端部(8c)と表シート(2S)及び受片素材(11S)の相互を溶着せずに表裏シート(2S)(3S)の相互を溶着すると共に、該分断線Ｃに沿って二次構成体(K2)を分断することにより袋体(1)を得る工程とから成ることを特徴とする袋の製造方法。
【請求項４】
帯状の表裏シート(2S)(3S)を相互に重ね合わせ、裏シートに対して表シートの一側縁を連結し他側の開口縁を開放せしめており、表シートの開口縁から突出する合成樹脂フィルム製の封口片素材(8S)を裏シートに連設すると共に、該封口片素材の突出端近傍部に粘着剤層(10S)を設け、更に、合成樹脂フィルム製の受片素材(11S)を表シートの開口縁近傍部に固着すると共に、該受片素材の一側部又は他側部にネット材から成る仮受部(13S)を形成することにより帯状の一次構成体(K1)を構成し、該一次構成体を帯長手方向に移送する工程と、
前記一次構成体(K1)の帯幅方向の分断線Ｃに沿って表裏シート(2S)(3S)を相互に溶着する工程と、
前記溶着の後、前記一次構成体(K1)における封口片素材(8S)を表シート(2S)の開口縁近傍部に向けて折返し、折返された封口片素材(8S)の粘着剤層(10S)を表シート(2S)の仮受部(13S)に粘着することにより帯状の二次構成体(K2)を形成する工程と、
前記二次構成体(K2)を前記分断線Ｃに沿って分断することにより袋体(1)を得る工程とから成ることを特徴とする袋の製造方法。
【発明の詳細な説明】
【技術分野】
【０００１】
本発明は、各種用途のために使用される袋及びその製造方法に関し、特に、袋体の上部開口を封口するための粘着剤層を備えた封口片を設けた構成において、該粘着剤層を被覆するための離型テープを不要としたものに関する。
【背景技術】
【０００２】
従来より、商品包装袋等の袋体は、表裏シート部により上部開口状の物品収納室を形成し、裏シート部の開口縁から上方に延設された封口片を表シート部の開口縁近傍部の外側に重なるように折返自在に構成しており、折返した封口片を表シート部の開口縁近傍部の外側に添設した受片に対して粘着せしめるための粘着剤層を設けている。
【０００３】
このような袋体は、製袋された状態で封口片を開放しており、上部開口部を開口せしめた状態で袋体として提供されるため、粘着剤層を離型テープにより被覆されている。そこで、袋体の提供を受けた者が商品を包装するに際し、商品を上部開口部から物品収納室に挿入した後、離型テープを剥離することにより粘着剤層を露出せしめ、封口片を折返すと共に粘着剤層を受片に粘着せしめ、これにより袋体の封口を行っている。
【０００４】
然しながら、離型テープは、粘着剤層を被覆し保護するためのものであるから、剥離の後は廃棄される運命にあり、大量の袋体を消費するときには大量の離型テープがゴミとなり、廃棄物処理による環境問題を提起する。
【０００５】
そこで、本発明者は、離型テープを不要とした袋体を先に提案したところである。
【特許文献１】特開２００４−６７１２３号公報
【発明の開示】
【発明が解決しようとする課題】
【０００６】
従来の離型テープを設けた袋体は、袋体の提供時に封口片が開放されているため、粘着剤層を被覆するめに離型テープが必須のものとされている。
【０００７】
また、本発明者が先に提案した特開２００４−６７１２３号公報の技術は、袋体の提供時に封口片が開放されていることを前提としており、従来の離型テープに代えて封口片用舌片を設け、該封口片用舌片により粘着剤層を被覆せしめるように構成している。
【０００８】
この点に関して、本発明者は、離型テープは勿論、離型テープの代替物も不要にできることを課題として鋭意研究した結果、袋体が提供される当初から、封口片を折返状態に保持し、粘着剤層を袋体それ自体の一部分により被覆させることが有利であることを知見した。
【課題を解決するための手段】
【０００９】
そこで、前記課題を解決するため本発明の袋が手段として構成したところは、表裏シート部により上部開口部を備えた物品収納室を形成し、上部開口部を越えて延びる封口片を裏シート部から延設すると共に表シート部の開口縁近傍部の外側に重なるように折返自在に構成し、表シート部の開口縁近傍部の外側に添設した受片に対して封口片に設けた粘着剤層を粘着することにより物品収納室の上部開口部を封口せしめる袋体において、前記封口片は、上部開口部からそれぞれ距離を相違する部位に第一折曲自在部と第二折曲自在部を備えており、封口片を第一折曲自在部を介して折返したとき粘着剤層が受片から下方又は上方に外れた位置に設けられた表シート部の仮受部に対面し、封口片を第二折曲自在部を介して折返したとき粘着剤層が受片に対面するように構成され、前記表シート部の仮受部は、封口片の粘着剤層を剥離自在に粘着せしめる剥離容易部を形成しており、袋体は、物品収納室に物品を収納していない状態で、封口片を第一折曲部を介して折返され、粘着剤層を前記仮受部の剥離容易部に粘着せしめて成る点にある。
【００１０】
前記剥離容易部は、網目を形成したネット材により形成することが好ましい。
【００１１】
前記袋を提供するため本発明の製造方法が第一の手段として構成したところは、帯状の表裏シートを相互に重ね合わせ、裏シートに対して表シートの一側縁を連結し他側の開口縁を開放せしめており、表シートの開口縁から突出する合成樹脂フィルム製の封口片素材を裏シートに連設すると共に、該封口片素材の突出端近傍部に粘着剤層を設け、更に、合成樹脂フィルム製の受片素材を表シートの開口縁近傍部に固着すると共に、該受片素材の一側部又は他側部にネット材から成る仮受部を形成することにより帯状の一次構成体を構成し、該一次構成体を帯長手方向に移送する工程と、前記一次構成体における封口片素材を表シートの開口縁近傍部に向けて折返し、折返された封口片素材の粘着剤層を表シートの仮受部に粘着することにより帯状の二次構成体を形成する工程と、前記二次構成体を帯幅方向の分断線Ｃに沿って溶着し、封口片素材の折返部の相互並びに封口片素材の折返端部と表シート及び受片素材の相互を溶着せずに表裏シートの相互を溶着すると共に、該分断線Ｃに沿って二次構成体を分断することにより袋体を得る工程とから成る点にある。
【００１２】
また、本発明の製造方法が第二の手段として構成したところは、帯状の表裏シートを相互に重ね合わせ、裏シートに対して表シートの一側縁を連結し他側の開口縁を開放せしめており、表シートの開口縁から突出する合成樹脂フィルム製の封口片素材を裏シートに連設すると共に、該封口片素材の突出端近傍部に粘着剤層を設け、更に、合成樹脂フィルム製の受片素材を表シートの開口縁近傍部に固着すると共に、該受片素材の一側部又は他側部にネット材から成る仮受部を形成することにより帯状の一次構成体を構成し、該一次構成体を帯長手方向に移送する工程と、前記一次構成体の帯幅方向の分断線Ｃに沿って表裏シートを相互に溶着する工程と、前記溶着の後、前記一次構成体における封口片素材を表シートの開口縁近傍部に向けて折返し、折返された封口片素材の粘着剤層を表シートの仮受部に粘着することにより帯状の二次構成体を形成する工程と、前記二次構成体を前記分断線Ｃに沿って分断することにより袋体を得る工程とから成る点にある。
【発明の効果】
【００１３】
請求項１に記載の本発明によれば、袋体は、提供される当初から、封口片を折返状態に保持し、粘着剤層を袋体それ自体の一部分を構成する表シート部の仮受部により被覆されているので、従来のような離型テープは不要であり、このため、従来のような廃棄ゴミ処理の問題を生じることはない。しかも、本発明者が先に提案した特開２００４−６７１２３号公報に記載されたような離型テープの代替物としての封口片用舌片を設ける必要もないので、低コストで提供することができ、しかも、製造が簡単である。
【００１４】
そして、折返状態とされた封口片の粘着剤が粘着された仮受部は、剥離容易部を構成しているので、袋体の提供を受けた者は、商品を包装するに先立ち、粘着剤を剥離容易部を介して簡単に剥離することにより封口片を開放することができ、商品等を開放された上部開口部から物品収納室に収納した後、再度、封口片を折返し、粘着剤層を表シート部の受片に対して強固に粘着せしめることにより、袋体を好適に封口せしめることができる。
【００１５】
この際、請求項２に記載の本発明によれば、剥離容易部が網目を形成したネット材により形成されているので、粘着剤層の剥離容易な仮粘着状態を好適に達成することができ、しかも、封口片を開放し、物品収納室に商品を収納した後、封口片を再度折返して粘着剤層を受片に粘着せしめた封口状態で、ネット材が封口片により覆われることなく露出されるように構成しておけば、該ネット材を介して通気性を良好とした袋体を提供することができる。
【００１６】
また、請求項３に記載の本発明によれば、封口片素材を折返した二次構成体を分断線Ｃに位置して溶着し分断するだけで、本発明に係る袋体を得ることができるので、袋体の量産に適している。この際、封口片素材の折返部の相互並びに封口片素材の折返端部と表シート及び受片素材の相互は溶着されず、表裏シートの相互だけが溶着されるので、これにより得られた袋体は、粘着剤層を仮受部から剥離するに際し、封口片を折返状態から自由に開放することができ、本発明の所期目的を好適に達成することができる。
【００１７】
また、請求項４に記載の本発明によれば、封口片素材を折返す前の一次構成体を分断線Ｃで溶着することにより表裏ネットシート部を相互に溶着しているので、その後、封口片素材を折返した二次構成体を分断線Ｃで分断するだけで袋体を得ることができ、これにより得られた袋体は、折返状態の封口片を何ら溶着されていないので、粘着剤層を仮受部から剥離するに際し、封口片を折返状態から自由に開放することができ、本発明の所期目的を好適に達成することができる。
【発明を実施するための最良の形態】
【００１８】
以下図面に基づいて本発明の好ましい実施形態を詳述する。
【００１９】
（袋体の第１実施形態）
図１ないし図３は、本発明に係る袋体の第１実施形態を示している。図１は、袋体の製袋後の状態を示し、ユーザに提供されるときの状態を示しており、これが請求項１に記載された袋体の形態である。図２は、ユーザが袋体に商品等を収納するために封口片を開放した状態を示している。図３は、ユーザが袋体に商品等を収納した後、封口片を折返すことにより封口した状態を示している。
【００２０】
（第１実施形態の構成）
図１において、袋体１は、オクラや枝豆その他の生鮮果菜類を収納するために適する通気性に優れた袋が例示されている。このため、袋体１は、網目を形成する伸縮性のある合成樹脂製のネット素材から成るネット状の表シート部２とネット状の裏シート部３により上部開口部４を有する物品収納室５を形成している。
【００２１】
表裏シート部２、３は、図１（Ｂ）に示すように、１枚のネット素材を半折することにより袋体１の底部６を形成しても良いが、図１（Ｃ）に示すように２枚のネット素材を相互に溶着６ａすることにより袋体１の底部６を形成しても良く、更には、図１（Ｄ）に示すように、底部６にガゼット６ｂを形成しても良い（以下の実施形態においても同様である）。表裏シート部２、３の両側縁は溶着７、７されることによりサイドシール部を形成しており、これにより物品収納室５の両側部と底部の三方が閉塞されている。
【００２２】
裏シート部３は、袋体１の全幅にわたり上部開口部４を越えて延びる合成樹脂フィルム製の封口片８を延設している。該封口片８は、基部８ａを裏シート部３の外側に重合されると共に袋体１の幅方向に向けて封口片溶着線９、９により溶着されており、延出部８ｂを表シート部２の開口縁近傍部の外側に重なるように折返され、先端８ｃの近傍内側に粘着剤層１０を設けている。
【００２３】
表シート部２は、上部開口部４に臨む開口縁部２ａの外側に、袋体１の全幅にわたる合成樹脂フィルム製の受片１１を添設しており、該受片１１は開口縁部２ａに対して袋体１の幅方向に向けて受片溶着線１２、１２により溶着されている。
【００２４】
更に、表シート部２は、受片１１から下方又は上方（図例の場合は下方）に外れた位置に仮受部１３を形成している。図示実施形態において、仮受部１３は、表シート部２を構成するネット材それ自体により構成され、これにより剥離容易部１４を形成している。
【００２５】
封口片８の延出部８ｂは、上部開口部４からそれぞれ距離を相違する部位に第一折曲自在部Ｕ１と第二折曲自在部Ｕ２を備えており、図１に示すように、第一折曲部Ｕ１を介して折返され、先端８ｃの粘着剤層１０を仮受部１３に対面せしめ粘着している。
【００２６】
（第１実施形態の使用方法）
前記構成の袋体１を提供されたユーザは、封口片８を図２に示すように開放することにより、物品収納室５に商品等を収納することができる。ユーザに提供された袋体１は、前述のように、折返された封口片８の粘着剤層１０がネット状の仮受部１３により構成された剥離容易部１４に粘着せしめられているので、ユーザは、先端８ｃを摘んで引き離すことにより、粘着剤層１０を仮受部１３から容易に剥離し、封口片８を図２に示すように開放することができる。しかも、粘着剤層１０は、剥離容易部１４に弱着状態で粘着されていた状態から剥離されたものであり、特に、剥離容易部１４をネット材により形成しているときは、粘着剤層１０は、ネット材の格子状の線条だけに粘着し、それ以外の部分は何ら粘着されない状態とされていたものであるから、剥離容易部１４から剥離した後の粘着力を十分を保持している。
【００２７】
そこで、商品等を収納した後、開放された封口片８を第二折曲自在部Ｕ２を介して折返すと、図３に示すように、粘着剤層１０は、受片１１に対面すると共に粘着される。この際、受片１１は、合成樹脂フィルムにより形成されているので、粘着剤層１０は受片１１に対し強着状態で強固に粘着され、袋体１の所期の封口を行わしめる。尚、袋体１に包装された商品等を購入した消費者は、封口片８の先端８ｃを摘んで強く引き離すことにより粘着剤層１０を受片１１から剥離し、商品等を袋体１から取出すことができる。この際、強着状態から剥離された粘着剤層１０は粘着力を劣化せしめられるが、袋体１は包装の役割を終えているので、粘着剤層１０の粘着力は最早必要でない。
【００２８】
（製造方法の第１例）
図４及び図５は、第１実施形態として説明した前記袋体の製造方法の第１例を示している。
【００２９】
図４（Ａ）に示すように、ネット素材から成る帯状の表裏シート２Ｓ、３Ｓが相互に重ね合わせられた状態で帯長手方向に移送される。この際、図示省略しているが、裏シート３Ｓに対して表シート２Ｓの一側縁が１枚のシートを半折することにより又は２枚のシートを溶着することにより連結されており、他側縁の開口縁は開放せしめられている。
【００３０】
裏シートＳ３の側縁の近傍部の外側には、帯状の合成樹脂フィルムから成る封口片素材８Ｓが移送方向に延びる溶着線９Ｓ、９Ｓを介して溶着され連設されており、該封口片素材８Ｓを表シート２Ｓの開口縁から突出せしめている。封口片素材８Ｓは、裏シートＳ３から突出する延長部８ｂの内側面を溶着阻止剤１５のコーティング等により被覆され、延長端８ｃの近傍内側面に帯長手方向に連続的に延びる粘着剤層１０Ｓを設けている。この際、溶着阻止剤１５は、図４（Ｂ）に例示するように延長部８ｂの内側面の全面に設けても良いが、図４（Ｃ）に例示するように粘着剤層１０Ｓが設けられた部位を除く全面に設けても良く、更には、後述する分断線Ｃに沿う溶着線７Ｓの部分だけに設けても良い。
【００３１】
また、表シートＳ２の開口縁の近傍外側面には、テープ状の合成樹脂フィルムから成る受片素材１１Ｓが移送方向に延びる溶着線１２Ｓ、１２Ｓを介して溶着され添設されている。この際、表シートＳ２は、受片素材１１Ｓの一側部又は他側部に仮受部１３Ｓを形成する。この仮受部１３Ｓは、表シートＳ２を形成するネット素材それ自体により構成されている。
【００３２】
図示実施形態の場合、表裏シートＳ２、Ｓ３を構成するネット素材は、相互に同質の樹脂、例えばポリエチレン等の特定樹脂Ｒ１により形成されており、従って、加熱溶融することにより表裏シートＳ２、Ｓ３を相互に溶着可能となるように構成されている。これに対して、封口片素材８Ｓは、前記特定樹脂Ｒ１（例えばポリエチレン）から成る内層８ｉと、該特定樹脂とは異質の樹脂Ｒ２（例えばポリプロピレン、ポリエステル、ナイロンその他）から成る外層８ｈをラミネートした２層フィルムから構成され、内層８ｉを裏シートＳ３に対して溶着線９Ｓ、９Ｓにより溶着されている。即ち、封口片素材８Ｓの内層８ｉと裏シートＳ３は、同一又は同系の特定樹脂Ｒ１により形成されているので、加熱溶融により相互に強固に溶着する。そして、延長部８ｂにおける内層８ｉに前記溶着阻止剤１５をコーティングしている。或いは、図示省略しているが、封口片素材８Ｓを前記特定樹脂Ｒ１（例えばポリエチレン）の単層フィルムから構成し、加熱溶融により裏シートＳ３に対して強固に溶着せしめるが、前述と同様に、延長部８ｂにおける内側面に前記溶着阻止剤１５をコーティングしている。
【００３３】
受片素材１１Ｓは、封口片素材８Ｓと同様に、特定樹脂Ｒ１（例えばポリエチレン）から成る内層１１ｉと、該特定樹脂とは異質の樹脂Ｒ２（例えばポリプロピレン、ポリエステル、ナイロンその他）から成る外層１１ｈをラミネートした２層フィルムから構成されており、内層１１ｉを表シートＳ２に対して溶着線１２Ｓ、１２Ｓにより溶着されている。即ち、受片素材１１Ｓの内層１１ｉと表シートＳ２は、同一又は同系の特定樹脂Ｒ１により形成されているので、加熱溶融により相互に強固に溶着する。或いは、図示省略しているが、受片素材１１Ｓを前記特定樹脂Ｒ１（例えばポリエチレン）の単層フィルムから構成し、加熱溶融により表シートＳ２に対して強固に溶着せしめている。
【００３４】
以上のように、表裏シート２Ｓ、３Ｓと、粘着剤層１０Ｓを備えた封口片素材８Ｓと、受片素材１１Ｓとが結合されることにより帯状の一次構成体Ｋ１が構成され、図４に示すように帯長手方向に移送される。
【００３５】
前記一次構成体Ｋ１は、次いで、図５に示すように、封口片素材８Ｓを表シート２Ｓの開口縁近傍部に向けて折返され、折返された封口片素材８Ｓの粘着剤層１０Ｓを表シート２Ｓの仮受部１３Ｓに粘着することにより帯状の二次構成体Ｋ２が形成される。
【００３６】
その後、二次構成体Ｋ２は、間欠移送され、図５（Ａ）に示すように、帯幅方向の分断線Ｃに沿って溶着線７Ｓを介して溶着されると共に分断され、これにより図１に示したような袋体１が得られる。分断線Ｃに沿う溶着・分断は、溶断刃により溶着と分断を同時に行う溶断方法に基づいても良いが、押圧加熱手段で溶着した後にカッター手段で切断する方法に基づいても良い。
【００３７】
前記分断線Ｃに沿う溶着線７Ｓを形成するに際して、図５（Ｂ）（Ｃ）に示すように、封口片素材８Ｓは、延長部８ｂの折返部においては内層８ｉ（特定樹脂Ｒ１どうし）を重合され、折返端部においては内層８ｉ（特定樹脂Ｒ１）を表シート２Ｓ（特定樹脂Ｒ１）に重合され、その状態で加熱押圧されるが、それぞれの間に溶着阻止剤１５を介装しているので、相互に溶着されることはない。また、折返された封口片素材８Ｓの内層８ｉ（特定樹脂Ｒ１）は受片素材１１Ｓの外層１１（異質樹脂Ｒ２）に重合されるので、強固に溶着されることはない（即ち溶着されても剥離容易である）が、更に、前記溶着阻止剤１５が介装されているので、相互に溶着されることはない。従って、分断線Ｃに沿う溶着線７Ｓを形成したとき、表裏シート素材２Ｓ、３Ｓだけが溶着され、図１に示したようなサイドシール部を構成する溶着７、７を形成する。
【００３８】
このようにして得られた袋体１は、前記溶着線７Ｓが形成されているにもかかわらず、溶着阻止剤１５による溶着阻止により、封口片８を折返状態から容易に開放することができ、上述した袋体１の目的を達成することができる。
【００３９】
（製造方法の第２例）
図６は、第１実施形態として説明した前記袋体の製造方法の第２例を示している。
【００４０】
表裏シート２Ｓ、３Ｓと、粘着剤層１０Ｓを備えた封口片素材８Ｓと、受片素材１１Ｓとが結合されることにより帯状の一次構成体Ｋ１が構成され、帯長手方向に移送される点については、図４に示した第１例の製造方法と同様である。
【００４１】
そこで、図６（Ａ）に示すように、該一次構成体Ｋ１を間欠移送することにより、帯幅方向の分断線Ｃに沿って表裏シート２Ｓ、３Ｓを相互に溶着することにより溶着線７Ｓを形成する。この際、封口片素材８Ｓは開放されているので、溶着線７Ｓにより表裏シート２Ｓ、３Ｓだけが相互に溶着される。従って、第１例について説明したような溶着阻止剤１５を封口片素材８Ｓの延長部８ｂにコーティングする必要はない。
【００４２】
溶着線７Ｓを形成した後、前記一次構成体Ｋ１における封口片素材８Ｓを表シート２Ｓの開口縁近傍部に向けて折返し、折返された封口片素材８Ｓの粘着剤層１０Ｓを表シートＳ２の仮受部１３Ｓに粘着することにより、図６（Ｃ）に示すような帯状の二次構成体Ｋ２が形成される。
【００４３】
その後、前記二次構成体Ｋ２を前記分断線Ｃに沿って分断することにより袋体１が得られる。分断方法は、カッター等の切断手段により行うことが好ましく、非加熱による裁断手段が採用される。
【００４４】
このようにして得られた袋体１は、封口片８が折返状態で溶着手段による加熱溶着を受けていないので、折返状態から容易に開放することができ、上述した袋体１の目的を達成することができる。
【００４５】
（袋体の第２実施形態）
図７は、本発明に係る袋体の第２実施形態を示している。図７（Ａ）は、袋体の製袋後の状態を示し、ユーザに提供されるときの状態を示しており、これが請求項１に記載された袋体の形態である。図７（Ｂ）は、ユーザが袋体に商品等を収納するために封口片を開放した状態を示している。図７（Ｃ）は、ユーザが袋体に商品等を収納した後、封口片を折返すことにより封口した状態を示している。
【００４６】
第２実施形態において、表シート部３は、ネット素材から形成されている。これに対して、裏シート部３は、合成樹脂フィルムから形成され、該フィルムを延長することにより封口片８を連設しており、封口片８を表シート部３に向けて第一折曲部Ｕ１を介して折返している。
【００４７】
ネット状の表シート部３の開口縁近傍部には合成樹脂フィルム製の受片１１が受片溶着線１２、１２を介して溶着されており、該受片１１の下方に仮受部１３を形成し、該仮受部１３はネット素材それ自体により剥離容易部１４を構成し、折返された封口片８の粘着剤層１０を剥離自在となるように弱着状態で粘着している。
【００４８】
その他の構成及び使用方法は上述した第１実施形態と同様であるから、上述の説明を援用する。
【００４９】
（袋体の第３実施形態）
図８は、本発明に係る袋体の第３実施形態を示している。図８（Ａ）は、袋体の製袋後の状態を示し、ユーザに提供されるときの状態を示しており、これが請求項１に記載された袋体の形態である。図８（Ｂ）は、ユーザが袋体に商品等を収納するために封口片を開放した状態を示している。図８（Ｃ）は、ユーザが袋体に商品等を収納した後、封口片を折返すことにより封口した状態を示している。
【００５０】
第３実施形態において、表シート部３のうち、開口縁部２ａから底部６の上方に至る部分は、ネット素材から形成されている。これに対して、裏シート部３は、合成樹脂フィルムから形成され、該フィルムを上方に延長することにより封口片８を連設しており、封口片８を表シート部３に向けて第一折曲部Ｕ１を介して折返しており、更に、該フィルムを下方において折曲することにより底部６を形成し、該底部６から延長された延長部１６を表シート部３のネット素材の下端部に溶着している。
【００５１】
ネット状の表シート部３の開口縁近傍部には合成樹脂フィルム製の受片１１が受片溶着線１２、１２を介して溶着されており、該受片１１の下方に仮受部１３を形成し、該仮受部１３はネット素材それ自体により剥離容易部１４を構成し、折返された封口片８の粘着剤層１０を剥離自在となるように弱着状態で粘着している。
【００５２】
その他の構成及び使用方法は上述した第１実施形態と同様であるから、上述の説明を援用する。
【００５３】
（袋体の第４実施形態）
図９は、本発明に係る袋体の第４実施形態を示している。図９（Ａ）は、袋体の製袋後の状態を示し、ユーザに提供されるときの状態を示しており、これが請求項１に記載された袋体の形態である。図９（Ｂ）は、ユーザが袋体に商品等を収納するために封口片を開放した状態を示している。図９（Ｃ）は、ユーザが袋体に商品等を収納した後、封口片を折返すことにより封口した状態を示している。
【００５４】
第４実施形態の構成は、基本的に第１実施形態と同様であるが、仮受部１３が受片１１の上方に形成されている。従って、第１実施形態の場合は、図２に示すように、上部開口部４から第一折曲部Ｕ１までの距離Ｌ１と、第二折曲部Ｕ２までの距離Ｌ２が、Ｌ２＞Ｌ１とされているのに対して、第４実施形態においては、図９（Ｂ）に示すように、反対にＬ１＞Ｌ２となるように構成されている。
【００５５】
そこで、封口片８は、表シート部３に向けて第一折曲部Ｕ１を介して折返され、粘着剤層１０を仮受部１３に剥離自在となるように弱着状態で粘着している。
【００５６】
袋体１の提供を受けたユーザは、図９（Ｂ）に示すように、粘着剤層１０を仮受部１３から剥離することにより封口片８を開放した状態で物品収納室５に商品等を収納した後、図９（Ｃ）に示すように、第二折曲部Ｕ２を介して封口片８を折返すと、粘着剤層１０が受片１１に対面すると共に粘着される。
【００５７】
その他の構成及び使用方法は上述した第１実施形態と同様であるから、上述の説明を援用する。
【００５８】
（袋体のその他の実施形態）
本発明は、図示実施形態に限定されないことが勿論であり、種々の設計変更が可能である。例えば、上記実施形態においては、仮受部１４をネット材により形成することにより剥離容易部１４を構成せしめたが、仮受部１４を合成樹脂フィルムにより形成し、該フィルムの表面に離型剤をコーティングすることにより剥離容易部１４を構成しても良い。また、袋体１のサイドシール部を構成する溶着７、７は、表裏シート２、３を挟んで受片１１及び封口片９をサンドイッチ状に溶着するように太幅の溶着線７ａ（図２（Ａ）参照）を形成しても良い。
【００５９】
本発明の袋体１は、商品包装袋として使用することに適しており、図１０（Ａ）は、ユーザに提供される状態における袋体１を示し、図１０（Ｂ）は、ユーザが封口片８を開放し、商品を収納した後に封口片８により上部開口部を封口した状態における袋体１を示しているが、更に、商品包装袋の他、図１０（Ｃ）に示すように、袋体１を例えば家庭の流し台で使用される生ゴミ収納用の水切り袋としても好適に使用することができる。この場合、封口片８は、開放したまま粘着剤層１０をシンクの壁面等に粘着することにより吊下状に保持することが可能であり、特に、表裏シート２、３の一方又は両方をネット素材により形成しているので、水切りを良好とする。
【図面の簡単な説明】
【００６０】
【図１】本発明に係る袋体の第１実施形態であり、製袋後の袋体であってユーザに提供されるときの状態を示しており、（Ａ）は正面図、（Ｂ）は中央縦断面図、（Ｃ）は底部の設計変更例を示す断面図、（Ｄ）は底部の別の設計変更例を示す断面図である。
【図２】本発明に係る袋体の第１実施形態であり、袋体の提供を受けたユーザが商品等を収納するために封口片を開放した状態を示しており、（Ａ）は正面図、（Ｂ）は中央縦断面図である。
【図３】本発明に係る袋体の第１実施形態であり、ユーザが袋体に商品等を収納した後、封口片を折返すことにより封口した状態を示しており、（Ａ）は正面図、（Ｂ）は中央縦断面図である。
【図４】本発明に係る袋体製造方法の第１例を示しており、（Ａ）は一次構成体を示す斜視図、（Ｂ）及び（Ｃ）は何れも封口片素材の部分を含む断面拡大図である。
【図５】本発明に係る袋体製造方法の第１例を示しており、（Ａ）は二次構成体を示す斜視図、（Ｂ）は溶着線を形成する前の状態を示す断面拡大図、（Ｃ）は溶着線を形成した後の状態を示す断面拡大図、（Ｄ）は粘着剤層が剥離容易であることを説明する断面拡大図である。
【図６】本発明に係る袋体製造方法の第２例を示しており、（Ａ）は一次構成体を示す斜視図、（Ｂ）は一次構成体を溶着線の部分で示す断面拡大図、（Ｃ）は二次構成体を示す斜視図、（Ｄ）は二次構成体を分断線の部分で示す断面拡大図である。
【図７】本発明に係る袋体の第２実施形態を示しており、（Ａ）は製袋後の袋体であってユーザに提供されるときの状態を示す断面図、（Ｂ）は袋体の提供を受けたユーザが商品等を収納するために封口片を開放した状態を示す断面図、（Ｃ）はユーザが袋体に商品等を収納した後、封口片を折返すことにより封口した状態を示す断面図である。
【図８】本発明に係る袋体の第３実施形態を示しており、（Ａ）は製袋後の袋体であってユーザに提供されるときの状態を示す断面図、（Ｂ）は袋体の提供を受けたユーザが商品等を収納するために封口片を開放した状態を示す断面図、（Ｃ）はユーザが袋体に商品等を収納した後、封口片を折返すことにより封口した状態を示す断面図である。
【図９】本発明に係る袋体の第４実施形態を示しており、（Ａ）は製袋後の袋体であってユーザに提供されるときの状態を示す断面図、（Ｂ）は袋体の提供を受けたユーザが商品等を収納するために封口片を開放した状態を示す断面図、（Ｃ）はユーザが袋体に商品等を収納した後、封口片を折返すことにより封口した状態を示す断面図である。
【図１０】本発明に係る袋体の用途例を示しており、（Ａ）及び（Ｂ）は袋体を商品包装袋として使用した例を示す斜視図、（Ｃ）は袋体を水切りゴミ袋として使用した例を示す斜視図である。
【符号の説明】
【００６１】
１    袋体
２    表シート部
３    裏シート部
４    上部開口部
５    物品収納室
７    溶着（サイドシール部）
８    封口片
９    封口片溶着線
１０    粘着剤層
１１    受片
１２    受片溶着線
１３    仮受部
１４    剥離容易部
Ｕ１    第一折曲部
Ｕ２    第二折曲部
２Ｓ  表シート
３Ｓ  裏シート
７Ｓ  溶着線
８Ｓ  封口片素材
１０Ｓ  粘着剤層
１１Ｓ  受片素材
１３Ｓ  仮受部
１５    溶着阻止剤
【図１】
2006001553.tif 000003
【図２】
2006001553.tif 000004
【図３】
2006001553.tif 000005
【図４】
2006001553.tif 000006
【図５】
2006001553.tif 000007
【図６】
2006001553.tif 000008
【図７】
2006001553.tif 000009
【図８】
2006001553.tif 000010
【図９】
2006001553.tif 000011
【図１０】
2006001553.tif 000012